(57)【要約】【課題】使用者が誤って回転ローラーをセンサーチップの差込み方向に回転させても、血糖測定器の測定部を傷つけず、故障の原因が発生することのないセンサーチップ除去装置を提供する。【解決手段】血糖測定器１のセンサーチップ挿入口３に対面するようにセンサーチップ差込み口１２を本体５の前壁面５ａに開口すると共に、センサーチップ差込み口の前方両側部に軸受部１３を突設し、センサーチップ差込み口の前方下面部に案内面１４を備え、軸受部に回転ローラー１５の左右のローラー軸１６を軸支し、軸受部には前方向に昇り傾斜とした案内路１７が対向して設けられ、回転ローラーをセンサーチップ２の排出方向に回転させたときは、ローラー軸が軸支された案内路の位置から移動せず、回転ローラーをセンサーチップ２の差込み方向に回転させたときは、ローラー軸が軸支された案内路の位置から斜め上方向に移動するようにした排出手段１１を備えたものとした。【選択図】図３
2010169622.tif 000002
【特許請求の範囲】
【請求項１】
血糖測定器（１）のセンサーチップ挿入口（３）に対面するようにセンサーチップ差込み口（１２）を本体（５）の前壁面（５ａ）に開口すると共に、センサーチップ差込み口（１２）の前方両側部にそれぞれ軸受部（１３）を突設し、センサーチップ差込み口（１２）の前方下面部に案内面（１４）を備え、前記軸受部（１３）に回転ローラー（１５）の左右のローラー軸（１６）を軸支したものとし、さらに前記軸受部（１３）には、それぞれ前方向に昇り傾斜とした案内路（１７）が対向して設けられ、前記回転ローラー（１５）をセンサーチップ（２）の排出方向に回転させたときは、左右のローラー軸（１６）が軸支された前記案内路（１７）の位置から移動せず、前記回転ローラー（１５）をセンサーチップ（２）の差込み方向に回転させたときは、左右のローラー軸（１６）が軸支された前記案内路（１７）の位置から斜め上方向に移動するようにした排出手段（１１）を備えたことを特徴とする血糖測定器におけるセンサーチップ除去装置。
【請求項２】
血糖測定器（１）の表示部（４）が視認できるようにして、その血糖測定器（１）に上面から外周縁部にかけて装着され、血糖測定器（１）のセンサーチップ挿入口（３）に挿入されたセンサーチップ（２）の排出手段（１１）を備えたものとし、前記排出手段（１１）は、血糖測定器（１）のセンサーチップ挿入口（３）に対面するようにセンサーチップ差込み口（１２）を本体（５）の前壁面（５ａ）に開口すると共に、センサーチップ差込み口（１２）の前方両側部にそれぞれ軸受部（１３）を突設し、センサーチップ差込み口（１２）の前方下面部に案内面（１４）を備え、前記軸受部（１３）に回転ローラー（１５）の左右のローラー軸（１６）を軸支したものとし、さらに前記軸受部（１３）には、それぞれ前方向に昇り傾斜とした案内路（１７）が対向して設けられ、前記回転ローラー（１５）をセンサーチップ（２）の排出方向に回転させたときは、左右のローラー軸（１６）が軸支された前記案内路（１７）の位置から移動せず、前記回転ローラー（１５）をセンサーチップ（２）の差込み方向に回転させたときは、左右のローラー軸（１６）が軸支された前記案内路（１７）の位置から斜め上方向に移動するようにしたことを特徴とする血糖測定器におけるセンサーチップ除去装置。
【請求項３】
前記案内路（１７）を長孔または長溝とし、その傾斜角度（α）を１５〜４５度にしたことを特徴とする請求項１または２記載の血糖測定器におけるセンサーチップ除去装置。
【発明の詳細な説明】
【技術分野】
【０００１】
この発明は、血糖値を簡単、迅速に測定することができる血糖測定器におけるセンサーチップ除去装置に関するものである。
【背景技術】
【０００２】
従来、血糖測定器においては、センサーチップ挿入口に挿入したセンサーチップの基端部の測定極に、採血した血液を点着して、測定極で得られる反応電流をそのセンサーチップの先端部の電極端子から測定器本体の測定部に送出し、血糖値を測定して、その血糖値を測定器本体の表示部にデジタル表示することができるものとしている。
【０００３】
このような血糖測定器において、血糖値を測定する前のセンサ−チップは、指で摘んでセンサーチップ挿入口へ差し込み、血糖値を測定した後のセンサーチップも、指で摘んでセンサーチップ挿入口から引き抜いていた。この場合、センサ−チップを差し込むときには問題はないが、センサーチップを引き抜くときには、センサーチップの基端部に指が触れて、その基端部に点着した血液が指に付着してしまい、不衛生であると共に、エイズ、肝炎等の重篤な病気に感染してしまうという危険性を有していた。
【０００４】
そこで、血糖値を測定した後のセンサーチップに指を触れることなく、このセンサーチップを血糖測定器から除去できる装置が、現今、発明されるに到っている。
【０００５】
このようなセンサーチップ除去装置としては、例えば図９〜１１に示したように、測定極２１ａと電極端子２１ｂを備えたセンサーチップ２１を、センサーチップ挿入口２２から挿入して血糖値を測定する血糖測定器２０の外周縁部に装着固定する装着体２３の、前記センサーチップ挿入口２２に対面する位置に、センサーチップ２１の着脱装置２４が一体に固定して形成されている。
【０００６】
前記着脱装置２４は、センサーチップ２１の差込み口２５を基部壁面２６に開口すると共に、差込み口２５の前方側上面に凹欠部２７を凹設し、差込み口２５の前方側下面にガイド面２８を備え、前記凹欠部２７に回転ローラー２９を装着して、センサーチップ２１を、前記回転ローラー２９を回転させることにより、排出して除去するようにしたものとしている。（特許文献１）
【先行技術文献】
【特許文献】
【０００７】
【特許文献１】特開２００７−２４６５８号公報（図１〜図３）
【発明の概要】
【発明が解決しようとする課題】
【０００８】
上記従来のセンサーチップ除去装置によれば、血糖値を測定した後のセンサーチップ２１を、単に、手で回転ローラー２９をセンサーチップ２１の排出方向（図示したものでは、時計回り）に回転させるのみで、センサーチップ２１に手を触れることなく、極めて簡単、迅速、且つ確実に排出して除去することができるので、エイズ等の重篤な病気に感染する虞れがなく、極めて衛生的であり、特に患者の多い病院において最適であるとしている。
【０００９】
しかしながら、上記従来のセンサーチップ除去装置においては、血糖値を測定した後のセンサーチップ２１を排出して除去する場合に、使用者が誤って回転ローラー２９をセンサーチップ２１の差込み方向（図示したものでは、反時計回り）に回転させると、センサーチップ２１が血糖測定器２０のセンサーチップ挿入口２２内にさらに押し込まれ、血糖測定器２０の測定部を傷つけるなどして、故障の原因となるという問題点を有していた。
【００１０】
そこで、この発明は、上記従来の問題点を解決することをその課題としており、使用者が誤って回転ローラーをセンサーチップの差込み方向に回転させても、血糖測定器の測定部を傷つけることがなく、故障の原因が発生することのない血糖測定器におけるセンサーチップ除去装置を提供することを目的としてなされたものである。
【課題を解決するための手段】
【００１１】
そのため、この発明のセンサーチップ除去装置は、血糖測定器１のセンサーチップ挿入口３に対面するようにセンサーチップ差込み口１２を本体５の前壁面５ａに開口すると共に、センサーチップ差込み口１２の前方両側部にそれぞれ軸受部１３を突設し、センサーチップ差込み口１２の前方下面部に案内面１４を備え、前記軸受部１３に回転ローラー１５の左右のローラー軸１６を軸支したものとし、さらに前記軸受部１３には、それぞれ前方向に昇り傾斜とした案内路１７が対向して設けられ、前記回転ローラー１５をセンサーチップ２の排出方向に回転させたときは、左右のローラー軸１６が軸支された前記案内路１７の位置から移動せず、前記回転ローラー１５をセンサーチップ２の差込み方向に回転させたときは、左右のローラー軸１６が軸支された前記案内路１７の位置から斜め上方向に移動するようにした排出手段１１を備えたものとしている。
【００１２】
さらに、この発明のセンサーチップ除去装置は、血糖測定器１の表示部４が視認できるようにして、その血糖測定器１に上面から外周縁部にかけて装着され、血糖測定器１のセンサーチップ挿入口３に挿入されたセンサーチップ２の排出手段１１を備えたものとし、前記排出手段１１は、血糖測定器１のセンサーチップ挿入口３に対面するようにセンサーチップ差込み口１２を本体５の前壁面５ａに開口すると共に、センサーチップ差込み口１２の前方両側部にそれぞれ軸受部１３を突設し、センサーチップ差込み口１２の前方下面部に案内面１４を備え、前記軸受部１３に回転ローラー１５の左右のローラー軸１６を軸支したものとし、さらに前記軸受部１３には、それぞれ前方向に昇り傾斜とした案内路１７が対向して設けられ、前記回転ローラー１５をセンサーチップ２の排出方向に回転させたときは、左右のローラー軸１６が軸支された前記案内路１７の位置から移動せず、前記回転ローラー１５をセンサーチップ２の差込み方向に回転させたときは、左右のローラー軸１６が軸支された前記案内路１７の位置から斜め上方向に移動するようにしている。
【００１３】
そして、この発明のセンサーチップ除去装置は、前記案内路１７を長孔または長溝とし、その傾斜角度αを１５〜４５度にしている。
【発明の効果】
【００１４】
この発明のセンサーチップ除去装置は、以上に述べたように構成されているので、使用者が誤って回転ローラーをセンサーチップの差込み方向に回転させても、血糖測定器の測定部を傷つけることがなく、故障の原因が発生することのないものとなった。
【図面の簡単な説明】
【００１５】
【図１】この発明のセンサーチップ除去装置を装着した血糖測定器の斜視図である。
【図２】この発明のセンサーチップ除去装置と血糖測定器とを分離させた状態を示す斜視図である。
【図３】この発明のセンサーチップ除去装置の排出手段から回転ローラーを取り外した状態を示す分解斜視図である。
【図４】この発明のセンサーチップ除去装置の排出手段から回転ローラーを取り外した状態を示す一部切欠き縦断面図である。
【図５】この発明のセンサーチップ除去装置を装着した血糖測定器にセンサーチップを差し込む前の状態を示す一部切欠き縦断面図である。
【図６】この発明のセンサーチップ除去装置を装着した血糖測定器にセンサーチップを差し込んだ状態を示す一部切欠き縦断面図である。
【図７】この発明のセンサーチップ除去装置を装着した血糖測定器からセンサーチップを排出しようとして回転ローラーをセンサーチップの排出方向に回転させた状態を示す一部切欠き縦断面図である。
【図８】この発明のセンサーチップ除去装置を装着した血糖測定器からセンサーチップを排出しようとして回転ローラーを誤ってセンサーチップの差込み方向に回転させた状態を示す一部切欠き縦断面図である。
【図９】従来のセンサーチップ除去装置を装着した血糖測定器の斜視図である。
【図１０】従来のセンサーチップ除去装置と血糖測定器とを分離させた状態を示す斜視図である。
【図１１】従来のセンサーチップ除去装置の排出手段を操作して、差し込んだセンサーチップを血糖測定器から排出し始める状態を示す一部切欠き縦断面図である。
【発明を実施するための形態】
【００１６】
以下、この発明のセンサーチップ除去装置を実施するための形態を、図面に基づいて詳細に説明する。
【００１７】
この発明のセンサーチップ除去装置が使用可能な血糖測定器は、種々のタイプのものが市販されているが、この実施形態においては、アボットジャパン株式会社が販売している血糖測定器「プレシジョン・エクシード」（商品名）およびセンサーチップ「スマートブルー」（商品名）を例に挙げて説明する。
【００１８】
血糖測定器１は、測定器本体の一端に後に述べるセンサーチップ２が挿入されるセンサーチップ挿入口３を開口したものとし、上面に測定した血糖値の表示部４を設けたものとしている。
【００１９】
センサーチップ２は、細長シート状に形成され、基端部に血液を点着する測定極２ａを備え、先端部に血糖測定器１の測定部に接続して血糖値を測定する電極端子２ｂを備えている。
【００２０】
そして、血糖測定器１のセンサーチップ挿入口３に、センサーチップ２の先端部を挿入して、このセンサーチップ２を血糖測定器１にセットする。次に、採血した血液をセンサーチップ２の測定極２ａに点着することにより、その測定極２ａで得られる反応電流を電極端子２ｂから、血糖測定器１の測定部へ送出し、血糖値を測定して、その血糖値を血糖測定器１の表示部４にデジタル表示されるようにしている。
【００２１】
この発明のセンサーチップ除去装置は、血糖測定器１の表示部４が視認できるようにして、その血糖測定器１に上面から外周縁部にかけて装着されるものとしており、血糖測定器１のセンサーチップ挿入口３に挿入されたセンサーチップ２の排出手段１１を備えたものとしている。なお、この発明のセンサーチップ除去装置は、血糖測定器１のセンサーチップ挿入口３に挿入されたセンサーチップ２の排出手段１１を備えたものであれば、血糖測定器１のセンサーチップ挿入口３の近辺に適宜手段により装着されるものとしてもよく、前記したように血糖測定器１に上面から外周縁部にかけて装着されるものとしなくてもよい。
【００２２】
前記血糖測定器１の表示部４が視認できるようにするには、図示したように、センサーチップ除去装置の本体５の全体を透光性の合成樹脂などの部材で作成するか、図示していないが、血糖測定器１の表示部４に対面する部分のみを透光性の部材で作成するか、血糖測定器１の表示部４に対面する部分を開口したものとすればよい。
【００２３】
前記排出手段１１は、血糖測定器１のセンサーチップ挿入口３に対面するようにセンサーチップ差込み口１２を本体５の前壁面５ａに開口すると共に、センサーチップ差込み口１２の前方両側部にそれぞれ軸受部１３を突設し、センサーチップ差込み口１２の前方下面部に案内面１４を備え、前記軸受部１３に回転ローラー１５の左右のローラー軸１６を軸支したものとし、この回転ローラー１５を回転させることにより、センサーチップ２を排出して除去するようにしている。
【００２４】
前記軸受部１３には、それぞれ前方向に昇り傾斜とした案内路１７が対向して設けられており、使用者が手で前記回転ローラー１５をセンサーチップ２の排出方向（図示したものでは、時計回り）に回転させたときは、左右のローラー軸１６が軸支された前記案内路１７の位置から移動せず、使用者が手で前記回転ローラー１５をセンサーチップ２の差込み方向（図示したものでは、反時計回り）に回転させたときは、左右のローラー軸１６が軸支された前記案内路１７の位置から斜め上方向に移動するようにしている。
【００２５】
前記軸受部１３に設けた案内路１７は、図示したような、長孔とすることができる。このように案内路１７を長孔とした場合には、ローラー軸１６がその長孔の両端部に位置したときに安定し易いように、その両端部を半円にした長円孔としており、長円孔の長径は実測で３〜５ｍｍとしている。さらに、前記案内路１７とした長孔は、傾斜角度αを１５〜４５度、好ましくは傾斜角度αを２５〜３５度、より好ましくは傾斜角度αを２９〜３１度に設定したものとしている。このような長孔の長径や傾斜角度αにおいては、使用者が手で前記回転ローラー１５をセンサーチップ２の差込み方向に回転させたときは、左右のローラー軸１６が軸支された長孔の位置から斜め上方向にスムーズに移動できるものとなる。
【００２６】
また、前記案内路１７は、図示していないが、長溝とすることができる。このように案内路１７を長溝とした場合にも、ローラー軸１６がその長溝の両端部に位置したときに安定し易いように、その両端部を半円にした長円溝としており、長円溝の長さは実測で３〜５ｍｍとしている。さらに、前記案内路１７とした長溝は、傾斜角度αを１５〜４５度、好ましくは傾斜角度αを２５〜３５度、より好ましくは傾斜角度αを２９〜３１度に設定したものとしている。このような長溝の長さや傾斜角度αにおいても、使用者が手で前記回転ローラー１５をセンサーチップ２の差込み方向に回転させたときは、左右のローラー軸１６が軸支された長溝の位置から斜め上方向にスムーズに移動できるものとなる。
【００２７】
なお、前記回転ローラー１５は、ゴムや合成樹脂等の摩擦抵抗の大きい素材からなるものとしたり、これら摩擦抵抗の大きい素材を外周面部に装着したものとしており、センサーチップ２の上面に接触した場合に、大きい摩擦力が働いて、このセンサーチップ２を排出し易いようにしている。
【００２８】
以上のように構成されたこの発明のセンサーチップ除去装置は、血糖測定器１に上面から外周縁部にかけて装着され、血糖測定器１と一体とされる。そして、センサーチップ２を、測定極２１ａ側を手に持ち、電極端子２ｂ側を先方側にして、センターチップ差込み口１２を通過させて、図６に示したように、血糖測定器１のセンサーチップ挿入口３に挿入する。
【００２９】
次に、血糖測定器１のセンサーチップ挿入口３に挿入されたセンサーチップ２の測定極２ａに、採血した血液を点着すると、測定極２ａで得られる反応電流がセンサーチップの電極端子２ｂから血糖測定器１の測定部に送出され、血糖値が測定され、その血糖値が血糖測定器１の表示部４にデジタル表示される。
【００３０】
そして、血糖値が測定された後、使用者は、図６に示した状態から、手の指で回転ローラー１５をセンサーチップ２の排出方向（図示したものでは、時計回り）に回転させると、回転ローラー１５はローラー軸１６が軸支されたその位置で回転し、前記センサーチップ２は、回転ローラー１５とガイド面１４の間に挟まれ、この回転ローラー１５がセンサーチップ２の上面に接触して、図７に示したように、血糖測定器１のセンサーチップ挿入口３から排出され、さらにセンサーチップ除去装置のセンターチップ差込み口１２からも排出される。
【００３１】
また、血糖値が測定された後、使用者が誤って、図６に示した状態から、手の指で回転ローラー１５をセンサーチップ２の差込み方向（図示したものでは、反時計回り）に回転させると、回転ローラー１５はローラー軸１６が軸支された長孔の位置から斜め上方向に移動し、前記センサーチップ２は、回転ローラー１５とガイド面１４の間に挟まれることなく、この回転ローラー１５が空転してセンサーチップ２の上面に接触せず、図８に示したように、センサーチップ２１が血糖測定器２０のセンサーチップ挿入口２２内にさらに押し込まれることなく、血糖測定器２０の測定部を傷つけることがないものとなる。
【００３２】
以上に述べたようにこの発明のセンサーチップ除去装置は、使用者が回転ローラー１５をセンサーチップ２の排出方向に回転させた場合には、センサーチップ２がスムーズに排出されるものとなり、使用者が誤って回転ローラー１５をセンサーチップ２の差込み方向に回転させた場合にも、血糖測定器の測定部を傷つけることがなく、故障の原因が発生することのないものとなる。
【符号の説明】
【００３３】
１  血糖測定器
２  センサーチップ
３  センサーチップ挿入口
４  表示部
５  本体
５ａ  前壁面
１１  排出手段
１２  センサーチップ差込み口
１３  軸受部
１４  案内面
１５  回転ローラー
１６  ローラー軸
１７  案内路
α  傾斜角度
【図１】
2010169622.tif 000003
【図２】
2010169622.tif 000004
【図３】
2010169622.tif 000005
【図４】
2010169622.tif 000006
【図５】
2010169622.tif 000007
【図６】
2010169622.tif 000008
【図７】
2010169622.tif 000009
【図８】
2010169622.tif 000010
【図９】
2010169622.tif 000011
【図１０】
2010169622.tif 000012
【図１１】
2010169622.tif 000013